(57)【要約】【課題】携帯式熱伝達装置の発熱器によって液体を加熱することに併せ、加熱器に熱電変換素子を組込み、発生する起電力を用いて液体循環装置を駆動させるようにしたもの。【解決手段】ＬＰＧボンベを含むガス供給装置Ｂと、このガスで働くガス噴出ノズル及びベンチュリー管とを備え、かつ始動のための混合比調整機構を有するガス・空気混合装置Ｃと、ここで発生した混合気を燃焼室１２内で火炎燃焼させるためのものであって、燃焼室内で燃焼によって生じた燃焼排気エネルギーを輻射エネルギーに一部変換するための多孔性固体輻射変換体１７を内蔵した燃焼器Ｄと、これを囲んで設置した集熱体Ｅと、高温側を集熱体に低温側を液体循環装置Ｆにそれぞれ密着させた熱電変換素子Ｔと、該熱電変換素子Ｔで発生した電力で駆動する上記液体循環装置Ｆとからなり、燃焼器Ｄで発生した熱を液体回路Ｇを経て外部の熱負荷Ｈに伝えることを特徴とする。      【選択図】  図１
2007113908.tif 000002
【特許請求の範囲】
【請求項１】
ＬＰＧボンベを含むガス供給装置と、このガスで働くガス噴出ノズル及びベンチュリー管とを備え、かつ始動のための混合比調整機構を有するガス・空気混合装置と、ここで発生した混合気を燃焼室内で火炎燃焼させるためのものであって、かつ燃焼室内で燃焼によって生じた燃焼排気エネルギーを輻射エネルギーに一部変換するための多孔性固体輻射変換体を内蔵させた燃焼器と、これを囲んで設置した集熱体と、高温側を集熱体に低温側を液体循環装置にそれぞれ接合させた熱電変換素子と、該熱電変換素子で発生した電力で駆動する上記液体循環装置とからなり、燃焼器で発生した熱を液体回路を経て外部の熱負荷に伝えることを特徴とする携帯式熱伝達装置。
【請求項２】
燃焼器を取り囲み、かつ燃焼器との間に空間を構成するように集熱体を設けたことを特徴とする請求項１記載の携帯式熱伝達装置。
【請求項３】
ガス・空気混合装置における吸気ダクトの吸気孔外方近傍位置に吸気孔防風板を設けると共に、燃焼部の下流に設けた排気ダストの排気孔外方近傍位置に排気孔防風板を設け、上記吸気孔及び排気孔は装置の同一方向で互いに離して設置されていることを特徴とする請求項１又は請求項２記載の携帯式熱伝達装置。
【請求項４】
上記排気ダクト内に、液体循環装置における液体回路の一部を配設すると共に該部に熱交換機能を組込んだことを特徴とする請求項３記載の携帯式熱伝達装置。
【請求項５】
上記熱電変換素子の電力により駆動され集熱体の温度をモニターし、必要時にガス供給装置に働きかけてガスを遮断する制御装置を組込んだことを特徴とする請求項１ないし請求項４のいずれかに記載の携帯式熱伝達装置。
【請求項６】
上記制御装置を一時的に動かす電源を組込んだことを特徴とする請求項１ないし請求項５のいずれかに記載の携帯式熱伝達装置。
【請求項７】
上記制御装置により制御された燃焼の状態を表示する状態表示器を備えたことを特徴とする請求項１ないし請求項６のいずれかに記載の携帯式熱伝達装置。
【発明の詳細な説明】
【技術分野】
【０００１】
本発明は、自らエネルギー源を有し、電力やガスの供給が困難な屋外等でも利用可能な、暖房器や暖房衣服等の外部の熱負荷へ熱を供給するための携帯式熱伝達装置に関するものである。
【背景技術】
【０００２】
従来屋外等で使用する可搬式の暖房器として、ガスストーブ、懐炉等が広く普及している。しかしこれらのものは、身体の一部分しか暖まらなかったり、暖かさのコントロールができなかったり不便なものであった。またバッテリーを使い、そのバッテリーからの電気エネルギーによって発熱を行う電気抵抗体を内部に分散させた暖房服やマット等が実用化されている。しかしこれらの装置は、現在でもバッテリーの質量エネルギー密度はあまり高くなく、暖房に必要なエネルギーを十分な時間供給できない面があった。
【０００３】
これらの問題を解決すべく、ＬＰＧをエネルギー源とし触媒でＬＰＧを燃焼させて熱を取出し、これを空気の対流によって暖房させる衣服が知られている。（例えば特許文献２参照。）
しかしながら空気の対流だけでは、熱を隅々まで運ぶことが難しいため、上記燃焼装置に熱電変換素子を組込み、この起電力により熱媒の循環ポンプを駆動する暖房装置も知られている。（例えば特許文献３参照。）
一方本発明者も触媒燃焼装置に熱駆動ポンプを組込み、加熱液体を循環させる携帯式熱伝達装置について既に提案している。（特許文献１参照。）
【０００４】
ところで、上記特許文献に開示された装置においてもっぱら採用されている燃焼器の触媒燃焼は、風が吹いたり、燃料と空気の混合比が少し変化しても途切れることがないタフな燃焼反応であり、また火炎燃焼よりも低温で燃焼できるという特徴を有している。しかしながら、理論混合比付近で長時間反応させると、燃焼温度が触媒にとって高くなり過ぎて次第に劣化してしまう問題が存在する。
これを防ぐため、理論混合比を外して反応させているが、燃料を濃くする方向に外すと着火性は向上し扱い易くなるものの、不完全燃焼となり燃料の無駄使いとなると共に、悪臭のする排気ガスを排出することになる。一方燃料を薄くする方向に外すと完全燃焼となり燃料の無駄がなくなり、排気ガスもきれいになるが、相対的に増大する空気量を賄うには非力なベンチュリー管による空気吸引では限界がある。特に触媒は、混合気との接触面積が大きくなくてはならず、このため流路抵抗が大きくなりガスの噴出力以外に外部の動力例えばバッテリーでファンを回し空気を導入する等の手段が必要となり、携帯式装置にあっては、複雑で大掛かりになるうらみがあった。
【０００５】
【特許文献１】特許第３０８８１２７号明細書
【特許文献２】特開平９―１２６４２３号公報
【特許文献３】特開２００１―１１６２６５号公報
【発明の開示】
【発明が解決しようとする課題】
【０００６】
そこで本発明者は、燃焼方式としては触媒燃焼の代わりに火炎燃焼を採用し、しかも燃焼器内に火炎を留ませる配慮を施して、火炎燃焼による高温の熱発生を可能とすると共に、燃焼器と液体循環装置との間に熱電変換素子を組込むことで、ここを通過する熱により電気を起こし、これで液体循環装置を駆動させることに着目し、本発明を完成したものである。
【課題を解決するための手段】
【０００７】
すなわち本発明は、ＬＰＧボンベを含むガス供給装置と、このガスで働くガス噴出ノズル及びベンチュリー管とを備え、かつ始動のための混合比調整機構を有するガス・空気混合装置と、ここで発生した混合気を燃焼室内で火炎燃焼させるためのものであって、かつ燃焼室内で燃焼によって生じた燃焼排気エネルギーを輻射エネルギーに一部変換するための多孔性固体輻射変換体を内蔵させた燃焼器と、これを囲んで設置した集熱体と、高温側を集熱体に低温側を液体循環装置にそれぞれ接合させた熱電変換素子と、該熱電変換素子で発生した電力で駆動する上記液体循環装置とからなり、燃焼器で発生した熱を液体回路を経て外部の熱負荷に伝えることを特徴とする携帯式熱伝達装置を要旨とするものである。  
【０００８】
また本発明は、燃焼器を取り囲み、かつ燃焼器との間に空間を構成するように集熱体を設けたことを特徴とするものであり、さらに本発明は、ガス・空気混合装置における吸気ダクトの吸気孔外方近傍位置に吸気孔防風板を設けると共に、燃焼部の下流に設けた排気ダストの排気孔外方近傍位置に排気孔防風板を設け、吸気孔及び排気孔は装置の同一方向で互いに離して設置されていることを特徴とするものである。
さらにまた本発明は、上記熱電変換素子の電力により駆動され集熱器の温度をモニターし、必要時にガス供給装置に働きかけてガスを遮断する制御装置を組込んだことを特徴とするものである。そして本発明は、上記制御装置を一時的に動かす電源を組込んだことも特徴とするものであり、さらに上記制御装置により制御された燃焼の状態を表示する状態表示器を備えたことをも特徴とするものである。
【０００９】
(作用)
本発明は、ＬＰＧをガス・空気混合装置によって混合気とし、これを燃焼室内で燃焼によって生じた燃焼排気エネルギーを輻射エネルギーに一部変換するための多孔性固体輻射変換体を備えた燃焼器で火炎燃焼させるが、燃焼器を囲んで設けられた集熱体には高温側を集熱体に低温側を液体循環装置に接合させた熱電変換素子を配置しているため、加熱により液体循環装置内の液体を昇温させると共に、上記熱電変換素子により電力を発生することができ、これによって上記液体循環装置を駆動させて外部の熱負荷に対して液体を循環させることができる。
【実施例】
【００１０】
図１は本発明携帯式熱伝達装置の第一の実施例を示し、その構成をブロック図で示したものである。
図において大きな長方形の枠が携帯式熱伝達装置Ａの本体全体を示し、この中のブロックが本発明を構成するそれぞれの装置を示しており、各ブロック間は使用するガス、空気、液体等の物質、熱、電気の流れを示す矢印でつながっている。
【００１１】
本発明の携帯式熱伝達装置Ａのうちのガス供給装置Ｂは、ガスボンベとその着脱装置、ガス開閉レバー、圧力レギュレーター、ガス開閉弁、ガス配管等からなっており、ＬＰＧをガス・空気混合装置Ｃへ一定圧力で供給するようになっている。そして始動のための混合比調整機構を有するガス・空気混合装置Ｃは、ガス噴出ノズル、ベンチュリー管、吸気ダクト、絞り弁、ディフューザー等からなり、供給されたガスをノズルからベンチュリー管に吹込み、発生した負圧で外気を吸気ダクト、絞り弁を通しエゼクターに導入し、ガスと空気をディフューザーヘ送るようになっていて、ディフューザーでガスと空気は速度を落としながら混合していくようになっている。
このようにして得られた混合気の圧力は、ディフューザーの中で速度のエネルギーが圧力のエネルギーに変換され、大気圧より僅かに高くなる。この圧力差が混合気を、燃焼器、排気ダクトを通り排出させる原動力となる。
【００１２】
次の燃焼器Ｄは、燃焼室内で燃焼によって生じた燃焼排気エネルギーを輻射エネルギーに一部変換するための多孔性固体輻射変換体を内蔵したもので構成されている。燃焼器Ｄは、例えばセラミックス等の耐熱性、断熱性が高くかつ熱線輻射能の高い材質で作られている。そして燃焼器上面には、多数の孔が設けてあり燃焼室まで貫通している。燃焼室は、一部又は全体が平坦で構成されていて、その面に上述の孔が貫通して設けられ、これが炎孔となっている。この炎孔の少し下流に火炎が形成され、火炎のさらに下流に多孔性輻射変換体が設置されている。このように構成されているため、高温の排気ガスはエネルギーの一部を燃焼室内部へ戻すことで混合気の燃焼を促進し、火炎を燃焼室内に保持させることができる。以上の構成にすることにより、今まで触媒燃焼でしかできなかった大気圧バーナーでの容器内燃焼が可能になると共に、触媒燃焼よりずっと高温でしかもより薄い混合気でも持続的に燃焼させることが可能になった。
なお多孔性固体輻射変換体によって、排気ガスは熱エネルギーの一部を取られてしまうので排気ガスの温度は少し低下するが、その分は燃焼器内部に戻されているので、燃焼器自体がより高温になる。
この燃焼器を囲んで設置された集熱体Ｅは、燃焼器Ｄからの熱を集めるもので、一般にアルミ、銅等の熱良導体で作られている。
【００１３】
また熱電変換素子Ｔは、高温側が上記集熱体Ｅに接合し、低温側が後述する液体循環装置Ｆの液体循環回路Ｇに接合して配置されている。高温の燃焼器Ｄで発生した熱は、集熱体Ｅで集められ、熱電変換素子Ｔ内部を通り、低温の液体循環装置Ｆに伝えられるが、このとき熱電変換素子Ｔに起電力が生じる。このときの熱電変換素子Ｔの接合は、それぞれの側が相手方の機器に密着していることが好ましい。
【００１４】
液体循環装置Ｆは、モーター等を備えており、熱電変換素子Ｔの内部を通った熱を液体循環回路Ｇ内部の液体に作用して昇温させると共に、上記熱電変換素子Ｔで発生した電力でモーターを駆動して液体循環装置Ｆを起動し、液体を外部の熱負荷Ｈまで移送、循環させるようになっている。
【００１５】
以上説明したように本発明は、ＬＰＧを多孔性固体輻射変換体を内蔵した燃焼器によって燃焼させることにより、高温状態で安定した熱を発生させ、この熱を集熱体Ｅで集めて熱電変換素子Ｔにより電力を発生させると共に、液体循環装置Ｆ内の液体を昇温させるようにした携帯式熱伝達装置であるから、発生した電気により液体循環装置の循環機関を駆動させて、液体を外部熱負荷に伝達させることができる利点がある。また、このような構成を採用したことにより、熱エネルギーを液体加熱と起電力の発生に使用できると共に、装置全体を小型化でき、取扱性にも優れ、携帯性にも富んだ特徴を有している。
【００１６】
図１に示した第一実施例においては、さらに上記熱電変換素子Ｔで発生した電力の一部を用いて安全機能を組込んでいる。すなわち熱電変換素子Ｔの電力により駆動される温度センサーＪは、集熱体Ｅの温度をモニターし、必要時にガス供給装置Ｂに働きかけてガスを遮断する制御装置Ｉを組込んでいる。この制御装置Ｉは、集熱体Ｅに取付けた温度センサーＪでこの部分の温度をモニターし、集熱体Ｅの温度が設定温度以上になったとき、ガス供給装置Ｂに働きかけてガスの供給を遮断する。また、燃焼器Ｄの炎が何等かの要因で立消えしたときも、集熱体Ｅの温度が別の設定温度以下になることにより、ガスを遮断するようになっている。
このような制御装置Ｉを組込むことにより、燃焼異常による障害を未然に防止し、安全を確保できることとなる。
【００１７】
さらに同図においては、制御装置Ｉにつながる液晶表示器等の状態表示装置Ｋを設けており、上記の制御装置Ｉにおける制御状態、さらには携帯用熱伝達装置Ａの作動状態を表示することができるため、熱伝達装置の利便性を向上させることができ、さらには異常表示等の表示も可能で、安全性の確保にも寄与する。
【００１８】
また上記実施例においては、上記制御装置Ｉにバッテリーによる電源Ｌを組込んでいるが、これは熱伝達装置を起動する際に、制御装置Ｉに電気を一時的に供給するためのもので、熱電変換素子Ｔが十分な起電力を発生させるまでの繋ぎの役目を果たす効果がある。
【００１９】
図２は本発明携帯式熱伝達装置の第二の実施例を示すものである。この装置は基本的には上記の実施例と同様、ＬＰＧボンベを含むガス供給装置Ｂと、ノズル及びベンチュリー管を備え、かつ始動のための混合比調整機構を有するガス・空気混合装置Ｃと、燃焼によって生じた燃焼排気エネルギーを輻射エネルギーに一部変換するための多孔性固体輻射変換体を内蔵した燃焼器Ｄと、集熱体Ｅと、熱電変換素子Ｔと、液体循環装置Ｆとからなっている。
このうちガス供給装置Ｂは、頂部にツマミ１０を有する圧力レギュレーター９と、内部にＬＰＧが充填され、ガス開閉レバー６とガス開閉弁７とを介して連結されたガスボンベ８とからなっており、さらにこの出口と後述するガス・空気混合装置Ｃとの間の通路には、ガス遮断バルブ２４及びその操作用のボタン２５が設けられている。
【００２０】
一方ガス・空気混合装置Ｃは、後述する燃焼器Ｄと一体型になっているが、吸気孔１’を設けた吸気ダクト１と、この吸気ダクト１に貫通して設けられたガス噴出ノズル２とを備えていて、この下流側にはベンチュリー管３及びディフューザー１１がそれぞれ連設され、下流端は燃焼器の入口に臨むようになっている。なお図中４は空気の吸入量を調節するための絞り弁であり、５はこれを作動させるレバーである。
【００２１】
上記ガス供給装置Ｂとガス・空気混合装置Ｃの作用について説明すると、ガス開閉レバー６を操作してガス開閉弁７を開くと、ガスボンベ８からのＬＰＧが圧力レギュレーター９で一定圧にされた後、ガス噴出ノズル２に供給される。ガス供給ノズル２の内径は、例えば直径４０マイクロメートル〜直径６０マイクロメートル程度で、ノズルに加わる圧力は２．９×１０４Ｐａ〜１９．６×１０４Ｐａゲージ圧位が適当で、圧力レギュレーターつまみ１０を回して調圧される。ガスはベンチューリー管３のエゼクターで吸気ダクト１から空気を吸引し、ディフューザー１１で速度を弱めながら空気と混合する。こうしてできる混合気は、レバー５を操作して絞り弁４の開度を調整することにより混合比を変えることができる。着火時は濃い混合比が必要であるが、定常運転時には理論混合比より少し薄い混合比が不完全燃焼もなく好ましい。
本発明における混合比調整機構は、上述した例のように空気量を制限して行う方法が簡便で好都合であるが、空気量はそのままでガスの供給量を増すことでも混合比を濃くすることができる。この場合はもう１個のガスノズルをディフュザー内に設けて圧力レギュレーターと配管で繋ぎ、間にガス開閉バルブを設置すれば良い。そして混合比を濃くする場合は、このバルブを開にすれば良い。この場合のガスノズルは、ディフューザーの下流部分で、流れに対し略直交するような方向に噴出するよう設置すれば空気吸引には影響を及ぼすことなく、ガスと空気の混合に寄与することとなる。
【００２２】
燃焼部は、燃焼室１２を備えた燃焼器Ｄと、これを取り囲むアルミ等の熱良導体で作られた集熱体Ｅを含んでいる。燃焼器Ｄは、燃焼室１２の上流側に、平坦面１３まで開孔して炎孔１４として機能する多数の間隔を隔てた孔１５を有する。燃焼室１２は内容積が例えば１０ｃｃ以下の大変小さいものである。点火用に燃焼室１２内に延びる点火プラグ１６が設けられている。
【００２３】
また燃焼器Ｄには、燃焼室１２の出口に燃焼室内で燃焼によって生じた燃焼排気エネルギーを輻射エネルギーに一部変換するための多孔性固体輻射変換体１７が設けられ、この実施例における多孔性固体輻射変換体１７としては、例えば直径０．１ｍｍ〜０．３ｍｍ程度の耐熱金属の針金を網目に編んだ金網を用いている。  
【００２４】
先ず着火のために、レバー５により絞り弁４を調整して空気量を少なくすることで濃い目に設定された混合気が燃焼器Ｄの多数の孔１５から燃焼室１２内へ噴出する。孔１５から噴出した混合気は、急激に拡大した平坦面１３のために出口近くに渦を作る。次に点火プラグ１６の火花で混合気が爆発し、渦にも着火して炎孔１４からの炎が合体し一つの火炎面１８が形成され、そして平坦面１３近くで安定する。燃焼により燃焼室１２の壁面温度は上昇し、この熱は炎孔１４上部も暖めこれにより混合気は予熱され、これにより混合気の燃焼速度が上昇する。一方燃焼による高温の排気ガスは、上記の多孔性固体輻射変換体１７を構成する金網の針金の直径が細いので、熱容量が小さく直ぐに昇温し、数百度になり電磁波として輻射エネルギーを四方八方へ放射するようになる。輻射エネルギーの一部は、上流側すなわち火炎面を加熱して燃焼が大幅に促進される。また上記多孔性固体輻射変換体１７の位置も重要で、火炎面から離れ過ぎると熱輻射の効果が小さくなり、逆に火炎面１８に近過ぎると、着火時の火炎形成ができなくなることが分かった。このことから、多孔性固体輻射変換体１７を燃焼室１２の平坦面１３から５ｍｍ〜１５ｍｍ程度の距離に設置するのが適当である。このように排気ガスのもつ熱エネルギーを輻射エネルギーという形で火炎へ熱還流させることができる。混合気は強く熱せられているため、燃焼速度はしだいに速くなってくる。この状態をしばらく時間的に維持する必要があるが、これは、多孔性固体輻射変換体１７や燃焼器Ｄの温度が上昇し、燃焼促進機能を発揮するまでの加熱時間である。その後、レバー５を動かし絞り弁４の開度を大きくして空気を導入すると、混合気の流量が増加し燃焼室１２内の流速も早くなる。通常の燃焼室であればここで火炎面下流に吹き飛んでしまうこととなる。しかし予熱と熱還流で加熱された混合気は、この流速に対応する燃焼速度をもつため、吹き飛ぶことなく安定した状態で燃焼室内に保持され、保炎が達成される。混合気は理論混合比より少し空気過剰になっているため、燃焼は完全燃焼で多くの熱エネルギーが発生し還流、予熱に回るため火炎の安定度はどんどん高まっていく。このように火炎の燃焼速度を高めることにより、小さな燃焼室１２で大量のガスを燃やすことができるため、同出力の触媒燃焼器よりも小型化でき、携帯式の熱伝達装置の燃焼器としては最適のものといえる。
【００２５】
燃焼室１２で発生した熱は、燃焼器Ｄを取り囲む集熱体Ｅで集められ、これに密着した熱電変換素子Ｔの高温側に伝えられる。一方熱電変換素子Ｔの低温側には、熱良導体の銅、アルミ等で作られた排熱板１９が密着され、内部を同じく熱良導体で作られたパイプ２０が貫通するようになっている。パイプ２０は、排熱板１９、外部の熱負荷Ｈ、循環ポンプ２１を通り、排熱板１９に戻る回路を形成し、内部は液体で満たされている。熱は熱電変換素子Ｔの高温側から低温側へ伝わっていき、これに密着している排熱板１９に伝わっていくことになる。このとき熱が熱電変換素子Ｔを通過することで熱起電力が発生し、これをリード線２２でモーター２３へ導入することにより、モーター２３に連結された循環ポンプ２１を回し、パイプ２０内の液体を循環させることができる。
ここでは、排熱板１９と循環ポンプ２３を両者をつなぐパイプ２０、モーター２３が、液体循環装置Ｆを構成している。このように燃焼器Ｄで発生した熱は、集熱器Ｅ、熱電変換素子Ｔ、排熱板１９、パイプ２０、液体へと伝えられ、外部の熱負荷Ｈまで移送される。
なお光電変換素子Ｔの低温側は、上記のように排熱板を介しパイプ２０に接合させることが、高温側との温度勾配を大きくとることができて好ましいが、これを例えば液体循環装置Ｆにおける循環ポンプ２１に接合させることも可能である。
【００２６】
本発明の多孔性固体輻射変換体１７として使われる金網は、一層でも効果があり、複数枚重ねるとより効果的になるが、あまり多くなると流路抵抗が増加してしまうため、非力な大気圧バーナーでは吸込み空気量とのかねあいで決める必要がある。また金網の目の粗さも同様で、８０番〜４０番程度が好ましい。さらに金属にセラミクスコーティングすることで熱による損耗を防ぐと共にセラミクスが良好な輻射能をもつため金網にとって効果的である。さらに金網の代わりに発泡セラミクスを使用しても良い。
【００２７】
また本発明に使用される熱電変換素子Ｔは、熱によって異種金属の接合面に生ずる熱起電力いわゆるジーベック効果を利用して熱エネルギーの一部を電気エネルギーに変換する素子のことで、異種金属でループを作り、２ヵ所の接合面をそれぞれ一方は熱し他方は冷却すると、それぞれの接合面に起電力が発生してループ内に電流が流れる現象を利用するものである。例えば金属としてテルル・鉛合金に他の金属を加え、Ｐ型、Ｎ型半導体を形成し、これらの接合面で高い熱起電力が発生することが知られているので、これらを多数並べて、それぞれを板状の電極で結ぶと接合面が得られる。そしてこの多数の接合面を直列に繋いだ一方の面を高温側、他方の面を低温側にして用いればよい。なお絶縁のため接合面を覆うように、薄いセラミクスでカバーすることが一般に行われている。
【００２８】
またこの実施例では、熱電変換素子Ｔから発生した電力の一部をリード線２２で取出す際に分枝して制御装置Ｉにも供給している。この制御装置Ｉは、温度センサーＪにより集熱体Ｅの温度をモニターして設定値以上になると過熱と判断し、ガス供給装置Ｂに設けたガス遮断バルブ２４への電気供給を止めるようになっている。ガス遮断バルブ２４は、電磁石により通電時のみガスを通過させる弁で、本装置Ｉ動作中は常に通電されている。そしてボタン２５を矢印方向に押すことで、弁が電磁石に吸着され弁が開くようになっている。
次に火炎が何等かの理由で立消えた場合、燃焼状態からの立消えでは集熱体Ｅの温度が、もう一つの設定値以下になること及び温度が下がり続けていると立消えと判断し、制御装置Ｉはガス遮断バルブ２４への通過を遮断する。また点火ミスによる場合は、電源スイッチ２６がＯＮになってからある一定時間（３０秒〜６０秒）以内に集熱体Ｅの温度上昇がないとき点火ミスと判断し、ガス遮断バルブ２４への通電も止められる。
電源Ｌは、バッテリーでスイッチ２６をＯＮにすると制御装置Ｉに電気を供給するようになっている。スイッチ２６は、リンク機構でガス開閉レバー６と機械的に連結されていて、ガス開閉弁７が開かれるとスイッチ２６がＯＮになるようになっている。
以上のように、制御装置Ｉ、状態表示器Ｋ及び電源Ｌをを組込むと、燃焼異状による障害を未然に防止して異状表示もできるため、装置の安全性を高めることができ、さらにはこれら制御および表示を安定的に行える効果がある。
【００２９】
図３は本発明の第三の実施例の一部を示しており、例えば図２に示した第二の実施例の燃焼部を中心にした構成を図３の構成に置き換えた別の例を示すものである。この実施例では、集熱体Ｅがアルミ等の熱良導体で作られ、そして燃焼器Ｄを完全に取り囲み、かつ燃焼器Ｄとの間に空間を構成するような寸法形状になっている。両者の結合は、混合気が入ってくる燃焼器Ｄの上部を取り囲むように配置された断熱材シール３１のみで行われている。集熱体Ｅには、上流側熱交換部３２と下流側熱交換部３３を構成する多数の孔３４、３５がそれぞれ明けられている。上流側熱交換部３２は、断熱シール３６でベンチュリー管３と結合されている。
そして燃焼室１２には、上記図２の実施例と同様、出口部分に燃焼室内で燃焼によって生じた燃焼排気エネルギーを輻射エネルギーに一部変換するための多孔性固体輻射変換体１７が設置されている。
【００３０】
上記実施例では、燃焼器Ｄと集熱体Ｅとの間が空気の断熱層となっているため、燃焼器Ｄの熱は、もっぱら下流側熱交換部３３及び上流側熱交換部３２で集熱体Ｅに伝えられ、燃焼状態では燃焼室１２で発生した熱は燃焼器Ｄの壁を通して伝熱では集熱体Ｅには伝わらない。よって、燃焼器Ｄ自体が図２の第二の実施例より高温になることで、燃焼がより促進される。しかも混合気予熱は、上流側熱交換部３２が加わり２段となって燃焼室１２内の火炎はより吹飛びにくく安定する。また高温の排気は、下流側熱交換部３３で熱が回収されて熱電変換素子Ｔに吸収されるため、第二の実施例よりも低くなり結果として多くの熱を無駄なく熱電変換素子Ｔに供給し得ると共に火炎の一層の安定化も達成することができる利点がある。
なお第三の実施例で使われる燃焼器Ｄは、輻射能に優れた耐熱性のセラミクスで形成するのが良いが、ステンレス等の耐熱性金属でも十分に使用可能である。  
【００３１】
図４は本発明携帯式熱伝達装置の第四の実施例を示すものである。この実施例では、燃焼部として第三の実施例と同様な構成を採用し、さらに下流側熱交換部３３から出る排気ガスを装置外に排出するための排気ダクト４０と、その排気孔４１の外方近傍に設けられた風よけ用の排気孔防風板４２とを備えている。一方吸気ダクト１の吸気孔１’の外方近傍にも吸気孔防風板４３が設けられている。そして吸気孔１’及び排気孔４１は、装置の同一方向で互いに離して設置されている。
【００３２】
これは、外部から風を受けたとき吸気孔１’及び排気孔４１に同一の風圧が加わるようにして、火炎の吹き消えが起こらないようにするためで、大気圧バーナー式の風呂釜等で実用化されている。風呂釜の場合には、吸気孔・排気孔が一体で作られ互いに熱交換することで排気損失を少なくするようになっている。この実施例でもこのようにすることで損失を減少することができる。しかしながら本発明の燃焼室１２は、風呂釜等の場合の数百分の一程度の内容積しかなく燃焼室負荷（燃焼室発熱量／燃焼室内容積ｃｃ）が高い。これは燃焼室温度が高くなり、火炎が安定する反面、燃焼騒音が大きくなる。この騒音はディフューザー１１、ベンチュリー管３、吸気孔１’へと向うものと排気ダクト４０に向うものとに分かれ、そして大気に解放され減衰、消滅してしまう。ここでもし吸気孔１’と排気孔４１とが近接していると、吸気孔及び排気孔が音響学的に結合して、ある特定の周波数が強められる共振が発生し易くなり、騒音が圧力変動へ変化していき火炎は消されてしまう。これを防止するため、燃焼室、排気孔と燃焼室の気体の通る道の距離をできるだけ短くすると共に互いにある距離を離して設置する必要がある。どうしても近接させなければならない場合、両者の間に壁を設けて音響学的結合を遮断する必要がある。防風板４２，４３は、吸気孔１’及び排気孔４１に直接風圧が加わらないように孔を完全に覆う大きさにすることが好ましい。防風板は、吸気孔１’及び排気孔４１の面より間隔をあけて設置して、その間隔から吸気、排気が行われる。なお吸気孔１’及び排気孔４１に設ける防風板４２，４３は、図示したように互いが同一平面となるようにすることが風圧の差がなくより好ましいが、平面位置が若干ずれていても構わない。
【００３３】
さらにこの実施例では、排気ダクト４０の中に図示するように熱交換器４４を設置している。液体は熱電変換素子Ｔの起電力で駆動する循環ポンプ２１により、排熱板１９、熱交換器４４、外部の熱負荷Ｈの順に廻り、また循環ポンプ２１に戻るようになっている。これにより排気ガスの熱エネルギーの一部を熱交換器４４で回収し、外部の熱負荷Ｈに供給することで熱効率が向上する。
【図面の簡単な説明】
【００３４】
【図１】本発明の携帯式熱伝達装置の第一の実施例を示すブロック図である。
【図２】本発明の携帯式熱伝達装置の第二の実施例を示す一部切断正面図である。
【図３】本発明の携帯式熱伝達装置の第三の実施例を示す部分的な断面図である。
【図４】本発明の携帯式熱伝達装置の第四の実施例を示す一部切断正面図である。
【符号の説明】
【００３５】
Ａ  携帯式熱伝達装置本体
Ｂ  ガス供給装置
Ｃ  空気吸引・ガス・空気混合装置
Ｄ  燃焼器
Ｅ  集熱体
Ｆ  液体循環装置
Ｇ  液体循環回路
Ｈ  外部の熱負荷
Ｉ  制御装置
Ｊ  温度センサー
Ｋ  状態表示器
Ｌ  電源
Ｔ  熱電変換素子
１  吸気ダクト
１’吸気孔
２  ガス噴出ノズル
３  ベンチュリー管
４  絞り弁
５  レバー
６  ガス開閉レバー
７  ガス開閉弁
８  ボンベ
９  圧力レギュレーター
１０  圧力レギュレーターツマミ
１１  ディフューザー
１２  燃焼室
１３  平坦面
１４  炎孔
１５  穴
１６  点火プラグ
１７  多孔性固体輻射交換体
１８  火炎面
１９  排熱板
２０  パイプ
２１  循環ポンプ
２２  リード線
２３  モーター
２４  ガス遮断バルブ
２５  ボタン
２６  スイッチ
３１  断熱材シール
３２  上流側熱交換部
３３  下流側熱交換部
３４  孔
３５  孔
３６  断熱シール
４０  排気ダクト
４１  排気孔
４２  排気孔防風板
４３  排気孔防風板
４４  熱交換器
【図１】
2007113908.tif 000003
【図２】
2007113908.tif 000004
【図３】
2007113908.tif 000005
【図４】
2007113908.tif 000006